(57)【要約】      （修正有）【課題】タオルのように何度も繰り返し使用できる「耐久消費材」であって、液ダレを不快感なく防止でき、洗濯や乾燥などの維持管理が簡単・容易である液ダレ防止部材と液ダレ防止方法とを提案する。【解決手段】ゴム編み布地等からなる弾性素材２と、ニットなどの編み布地からなる液ダレを吸収する素材４と、ターバン状のセッティングがズレ落ちないように防止するネット状の編み布地からなるズレ落ち防止素材６とを組み合わせて縫製した中心部が穴開き状の液だれ防止部材を開発し、これを頭からかぶり、首筋から肩まで下ろした後、ターバン状にセッティングし、頭部をネット状編み素材によって覆うようにする防止方法。【選択図】  図１
2006230967.tif 000002
【特許請求の範囲】
【請求項１】
美容処理に伴う液ダレ防止部材に於いて、液ダレを吸収する吸収素材と、該液ダレを遮断する弾性素材と、該液ダレ防止部材自体のズレ落ちを防止する防止素材とより構成されることを特徴とする液ダレ防止部材
【請求項２】
前記弾性素材としてゴム編み布地を、前記吸収素材として編み布地を、前記ズレ落ちを防止する防止素材としてネット状編み布地をそれぞれ用意し、該それぞれの布地を縫製して、略中心部を頭部が入る穴開き状の布地としたことを特徴とする請求項１に示した液ダレ防止部材
【請求項３】
前記穴開き状の布地としてドーナッツ形状となるように構成したことを特徴とする請求項２に示した液ダレ防止部材
【請求項４】
前記ネット状編み布地を重ね合わせた上で、フリーピン等の係止部材で留め、前記ズレ落ちを防止する素材として活用したことを特徴とする請求項２に示した液ダレ防止部材
【請求項５】
前記穴開き状の布地を頭部から通して、肩部に襟巻き状にかけることを第一工程とし、第二工程としてパーマネントのためにロット巻き等の美容処理を行い、第三工程として該布地をターバン状に該頭部にかけ、第四工程として前記編み布地が該美容処理に伴う液ダレを垂れ流すことなく吸収できるように前記ゴム編み布地を調整し、第五工程として前記ネット状編み布地をフリーピン等の係止部材で留めて、前記液ダレ防止部材自体のズレ落ちを防止するようにした請求項２に示した液ダレ防止部材を用いた液ダレ防止方法
【発明の詳細な説明】
【技術分野】
【０００１】    本発明は美容院での美容技術や一般家庭での美容処理技術に関する。
【背景技術】
【０００２】    パーマや髪染等の美容処理は、１剤として還元剤を用い、２剤として酸化剤を用い、この組み合わせによって行う。髪の毛は硫黄「Ｓ」を持ついわゆるシステイン結合をもち、「Ｓ」と「Ｓ」との結びつきが強い。パーマの場合、これを自由な形状に変えるためにこの結合をきるために還元剤を使う。【０００３】    実際のパーマ処理としては、シャンプーをして、髪の汚れや脂肪分を取り除き、還元剤を塗布し、ロットに巻きつけ、ビニールキャップをかぶせて、空気との接触を遮断しつつ、１０〜２０分静置する。還元剤によって与えられた水素「Ｈ」によって「Ｓ」と「Ｓ」の結合が切れ、メルカプタン基「ＳＨ基」ができる。【０００４】    この後、酸化剤を用い、メルカプタン基「ＳＨ基」から水素「Ｈ」を取り、元の位置とは外れた位置で「Ｓ」と「Ｓ」とを結合させ、変えた形状に固定するようにしていた。還元剤を塗布し、ロットにまきつけ、１０〜２０分静置した後、この酸化剤を付着し、ここでも１０〜２０分程度所定の時間静置し、その後ロットを外すようにしていた。【０００５】  髪染の場合、第１剤に還元剤とジアミン系の染料が含まれ、還元剤によって髪の毛を膨潤させ髪の毛の組織であるキューティクルの間隙を広げ、キューティクル内にこの染料を入れた。【０００６】    第２剤の酸化剤がキューティクル内に入るとジアミン系の染料は重合し、大きな粒子となってはっきりとした色に発色した。大きくなった染料粒子は水洗いしてもキューティクルの外に流れ落ちにくくなった。【０００７】    このようにパーマや髪染などの美容処理では、還元剤や酸化剤をその都度６０〜１００ｃｃ位使用する。これを髪に塗布したり、付着させたりするため、そのまま放置すればこの液がつたい落ち、額、頬、首筋、衣服等に流れ落ちる。不潔で気持ちが悪いだけでなく、皮膚をただれさせる事もあった。【０００８】    そこで従来は、綿タオルを用い、首筋にかけたり、首筋から額にかけてターバン状に巻きつけ、この液が流れ落ちるのを防いできた。綿タオルは吸湿性に優れてはいたが、生地が固く、この液だれを防ぐために、このタオルと額や皮膚の間のすき間をなくそうとすると、かなり固くターバン状にタオルを結わえなくてはならなかった。そして、きつく結べば結んだで、結わえられた客やユーザは頭部を締め付けられて、顔のまわりがうっとうしく、視野も狭まり不快感が残った。【０００９】    綿タオルをこの液だれ防止に使用するのはこのように使いづらく、客やユーザにとっても余り良いことがないだけではなく、美容院などでは１回のパーマや髪染などに７〜８枚ものタオルを使うため、その洗濯や乾燥が大変であった。余りに手間取るため、貸タオルを借りるとコストがかさむことになった。【００１０】    そこでこれまでもこの美容処理における液だれを防止する様々な工夫が以下のように行われてきた。
【特許文献１】  実用新案登録  第３０６８８８０号
【特許文献２】  実用新案登録  第３０６９６１９号
【特許文献３】  実用新案登録  第３０５９５１５号
【特許文献４】  特開２００２−１２５７４４
【特許文献５】  特開２００３−２３５６３２
【特許文献６】  特開平８−１００３５
【特許文献７】  実用新案登録  第３０７８６２８号
【００１１】  「特許文献１」および「特許文献２」はパーマ液吸収用ターバンという内容であり、タオルをねじってターバン状にして、液だれを防ぐというものであり、使用感は多少改善されるが、タオルをねじって使用するため、その分、使用するタオル地の面積は大きくなり、洗濯や乾燥の大変さは解決されていない。【００１２】    「特許文献３」は「美容パーマ液・液ダレ液飛び防止品」というものであり、吸水繊維を素材にし、スリ鉢状の円形に縫製し、なおかつ縫製過程でゴム道を２本作り、この２本のゴムによってこの防止品のズレ落ちを防ぐとともに、タオルとゴムを一体化して液だれを防ぐというものである。しかしながら、頭部に取り付けたとき、逆円錐状となるような縫製品を頭部からズレ落ちることなく保持することは難しく、これはゴムを太くし、その弾性力を高めても同じである。また、布地を合わせ、折り重ね縫いするとあるが、そのような縫製品にすれば洗濯後、乾かすのにも時間がかかることになった。【００１３】    「特許文献４」はパーマネントウェーブ用キャップで薄いナイロン和紙からなるキャップの１端と他端に薄いタオルと薄い和紙からなるターバンをそれぞれ取り付け、キャップとターバンを一体として取り扱えると共に、キャップにターバンストッパーをつけ、ターバンがズレ落ちないようにしている。【００１４】    ターバンを２重に取り付けることができ、液だれ防止を計ると共に、ターバンストッパーによってズレ落ちをなくしているが、還元剤を使用した後、キャップをかぶせ、次に酸化剤を付着させる時には、このキャップを外さねばならなくなるため、そのたびに２本のターバンを取り外し、改めて結わえなくてはならなくなる。【００１５】    また、これはキャップ・ターバン共に薄い和紙を使っているため、洗濯で再利用することは考えてはいない。使い捨てをベースとして考えているため、コストがかさみ、捨てるごみも増えることになった。【００１６】    「特許文献５」は「パーマネント液だれ防止帯及び防止帯付ヘアキャップ」という名称であり、この液だれ防止帯は袋状帯体で作り、内面首筋に当たる面には紙おむつなどに使っている吸水性のある部材を用い、外側には防水性のある部材を使っている。ここでもベースとして考えているのは使い捨て部材である。【００１７】    以上、美容処理に伴う液ダレ防止のためにこれまで考えられて来た特許や実用新案を見ると「特許文献１」「特許文献２」はタオルをねじってターバン状の形状を変えるというものであり、「特許文献３」はタオルとゴムを一体化して縫製することが書かれてある。しかしながら、使用タオルの洗濯や乾燥に大変手間取ることが忘れられた対応策となっている。【００１８】    また、「特許文献４」「特許文献５」は１回限りの使い捨てをベースに考えたものであり、一見便利なようであるが、今後、こうした使い捨て製品は廃棄処理費を製造メーカが負担し、その費用が製品価格に上乗せされることになるため、値段の面で大変厳しいものとなる。【００１９】    「特許文献６」「特許文献７」は液ダメを作り、溜まった液を排出口から抜く方式である。液ダメを作ることによって液が額や頬、首筋に流れ落ちていくことを防ぐことができるかもしれないが、溜��った液の排出や廃棄のための管理が難しい。
【発明の開示】
【発明が解決しようとする課題】
【００２０】    そこで、本発明では次のことを課題とした
（１）タオルのように何度も繰り返し使用できる「耐久消費材」としてタオルに代わる液ダレ防止部材を考えた。
（２）その上で、これまでの綿タオルによるターバン巻きのような使用感の悪さがないものにしたい。
（３）液ダレを不快感なく防止できるようにしたい。
（４）洗濯や乾燥などの維持管理が簡単・容易である。
以上のような諸点を満足する液ダレ防止部材と液ダレ防止方法とを提案することが本発明の課題である。
【課題を解決するための手段】
【００２１】    そこで、本願では液ダレ防止部材に於いて液ダレを吸収する素材と、液ダレを遮断する弾性素材と、液ダレ防止部材自体のズレを防止するための素材との組み合わせによって構成した。より詳しくは液ダレを吸収する素材としては、吸湿性が良く、なおかつ乾燥し易い素材を選んだ。その為編み布地を用いた。これまで、タオルを使った時には木綿の織布地を使って来た。このタオルを、液ダレを吸着させ、液ダレを遮断し、なおかつ下にズレ落ちないようにするための三つの機能をもつ手段として用いて来た。しかしズレ落ちを防止するため、必要以上に強く締めるとその部分は固く締まって逆に吸水性が悪くなるということがあった。その点を考え、３つの機能を分離し、その機能に最も合った素材を選び、それを組み合わせて作ったのが本発明である。【００２２】    また、弾性素材としては帯状のゴム編み布地を用い、弾性力に富み、かつソフトな伸縮力をもたせるようにし、ターバン状に簡単にセッティングできるようにした。液ダレを吸収する素材をこの弾性素材の弾性力によって、液ダレに直接接触するように働かせて、液ダレ防止を計った。液ダレを吸収する吸収素材としては、木綿にこだわることなく、木綿素材と同じような感触を持ち、なおかつ乾き易い合成繊維が素材としてより適切である。弾性素材と一緒に伸縮することも必要であるため、ここではそうした合成繊維を使ったニット編み等の編み布地を使った。弾性素材はこの吸収素材の上からソフトに押圧することで液ダレも防ぐ役割も果たした。【００２３】    また、ズレ落ちを防止する素材としてはネット状編み布地を用い、このネット状編み布地を重ね合わせた上で、フリーピン等の係止部材で留め、ズレ落ちを防ぐようにした。美容処理では１剤や２剤の処理液を使い、いくつかの作業工程がある。ターバン状にセッティングし、係止部材によってズレ落ち防止を計った後にも髪の処理はしなければならない。そこで、本願ではこのフリーピン等の係止部材をはずし、ネット状編み布地を広げればターバン状にセッティングしたままで髪の処理をすることができるようにした。これまでも還元剤で処理後に用いるキャップと液ダレ防止部材を一緒に作る事例はあったが、酸化処理の時にはこのキャップは必要なく、キャップがあるというのはうっとうしくなるだけである。【００２４】    また本願では液ダレ防止部材の取り付け方に従来にはない工夫を行った。略中心部に頭部が入るように穴開状の布地とした液ダレ防止部材（前述した吸収する素材と弾性素材とズレ落ち防止素材から構成）をまず頭部からかぶり、肩部に襟巻き状にかけ、これを第一工程とした。第二工程としてパーマネントのためのロット巻き等の美容処理を行い、第三工程として該防止部材をターバン状に該頭部にかけ、第四工程として編み布地等の吸収素材が液ダレを吸収できるようにゴム編み布地等の弾性素材を調整し、第五工程としてネット状編み布地等のズレ落ち防止素材をフリーピン等の係止め部材で留め、この液ダレ防止部材のズレ落ちを防止する防止方法とした。【００２５】    いくつかの美容処理を手順を踏んで進めて行くに際し、本願では、この第一工程から第三工程まではそのままにし、第四工程ないし第五工程を繰り返すことで���処できる方法となっている。すなわち上記第一工程から第五工程まで行うに当り、第二工程ではロット巻きの後還元剤を髪に塗布し、第五工程のズレ落ち防止を行った後、ビニールキャップをかぶせ、還元処理のために外気と遮断する。この後１０〜２０分静置した後、このビニールキャップを取り、フリーピン等の係止部材をはずしてネット状編み布地を広げ、今度は酸化剤等を付着させる。この時、ターバン状のセッティングは外すことなく、吸収素材の液ダレの吸収具合を見て、第四工程まで戻り、再び第五工程のズレ落ち防止を行う方法をとることになる。
【発明の効果】
【００２６】    本発明は、これまで美容処理過程で発生する液ダレ防止に対して、タオルを使用していたのに対し、そのタオルの機能を３つに分け、それぞれの機能を持つ素材を組み合わせた全く新たな液ダレ防止部材を提供し、液ダレを防ぐと共に、この液ダレ防止過程で生起した不快感や使用後の洗濯や乾燥等の手間を大幅に省くことができた。【００２７】    本願ではこの３つの機能を持つ素材としてまず、弾性素材として帯状のゴム編み布地を使うことでターバン状にセッティングし易く、しかもセッティングによる圧迫がソフトであり、使用感が優れていた。さらに吸収素材をこの弾性素材で軽く押圧する形で吸収できるように構成していたので、液ダレの吸収は殊の外よく、試作したものを試した結果も使用感の上で大変好評であった。【００２８】    さらに、ズレ落ち防止素材として、フリーピンで頭部を張ったり、開放したりすることができるようにしたため、美容処理を進める過程でターバン状のセッティングを取り外すことなく進めることができた。【００２９】    このような新しい液ダレ防止部材を開発できたので、１つのパーマネント処理を行っても使用枚数が少なくて済み、また洗濯や乾燥などの手間も大変軽減されることになった。
【発明を実施するための最良の形態】
【００３０】    以下、図面に基づき本発明の実施例を説明する。【００３１】    ［実施例１］
図１は本発明による液ダレ防止部材の１実施例であり、その平面図（ａ）と部分断面図（ｂ）である。（２）はゴム編み布地を用いた弾性素材、（４）はニットなど編み布地を使った吸収素材、（４−１）は２重に編みこんだ部分、（４−２）は１重の部分である。（６）はネット状の編み布地からなるズレ落ち防止素材である。この実施例を液ダレ防止部材Ａ（１）とする。【００３２】    図２は本発明による液ダレ防止部材のほかの実施例で、その平面図（ａ）と部分断面図（ｂ）である。（８）はゴム編み布地を用いた弾性素材、（１０）はニットなど編み布地を使った吸収素材、（１２）はネット状の編み布地を使ったズレ落ち防止素材である。この実施例を液ダレ防止部材Ｂ（３）とする。【００３３】    液ダレ防止部材Ａ（１）及び液ダレ防止部材Ｂ（３）も基本的な構成に変わりはない。平面図で見るように略中心部が穴開き形状をした略ドーナツ形状をしていて、中心部からゴム編み布地を用いた弾性素材（２）（８）、ニットなどの編み布地を用いた吸収素材（４）（１０）、そして一番外側はズレ落ち防止素材（６）（１２）となっていて、それぞれを縫製して一つの布地として作り上げている。それぞれの防止部材の違いは図１の実施例では図１（ｂ）のＡ−Ａ断面で見るように編み布地（４）が１部二重に縫製しているが、図２の実施例では一重仕様という点の違いである。【００３４】    図３から図９はこの図１と図２で示した２種類の本発明による液ダレ防止部材Ａ及びＢを使用して、美容処理過程での液ダレ防止の手順を示した外観図である。（１４）は被験者である。図３では液ダレ防止部材Ｂ（３）が被験者の頭部を通してかぶせられ、通常のタオルに代えて肩に襟巻き状にかけた図である。シャンプーの前に多少整髪しても髪が首筋から入ることを防いでいる。【００３５】    図４はこの襟巻き状にかけられた液ダレ防止部材Ｂ（図面上隠れている）にシャンプー用のクロス（１６）をかけた図である。液ダレ防止部材（３）は図３で見るようにフラットにかけることができているため、図４でクロス（１６）をその上からかけても襟下がすっきりし、首筋（１８）が見える。この液ダレ防止部材Ｂ（３）はシャンプー時の液ダレを防ぐと共に、その後の美容処理に当たって大切な襟下をすっきりさせるということができている。【００３６】    図５はシャンプーの後、タオルで頭を拭いた後、液ダレ防止部材Ａ（１）をクロス（１６）の上から肩にかけたときの図である。この時二重に編みこんだ吸収素材（４−１）の部分が表面側にくるようにかけている。この後、通常のパーマネントの場合、第１剤の還元剤を髪に塗布し、ロットに巻きつける。この還元剤の塗布によって液ダレが生じるため、液ダレ防止部材Ａ（１）を図６のようにターバン状にセッティングする。【００３７】    図６は液ダレ防止部材Ａ（１）をターバン状にかけて、なおかつ二重に編みこんだ吸収素材（４−１）の部分が弾性素材（２）の下側にくるように調整した時の図であり、図６（ａ）はその外観図、図６（ｂ）はｃ−ｃ面の断面図である。図１０は図５から図７に到る液ダレ防止部材Ａ（１）のセッティング過程を説明する為の断面模式図であり、同一番号は同一内容を示す。図１０は図１０（ａ）が図４、図１０（ｂ）が図５、図１０（ｃ）は図５から図６への移行過程の図、図１０（ｄ）は図６、図１０（ｅ）は図７にそれぞれ対応している。通常、液ダレ防止部材Ａ（１）を図５の状態からターバン状にセッティングするために、顔の前面部を額の所、後頭部側を頭部と首の境の所まで持ち上げると図１０（ｃ）に見るように二重に編みこんだ吸収素材（４−２）の部分は内側に位置することになる。【００３８】    これをそのままターバン状にセッティングせず、この部分（４−２）を弾性素材（２）の下側をくぐらせて、下側に持ってきたのが図６と図１０（ｄ）である。図６（ｂ）で見るように、この時には額の部分と直接接触する部分が（４−２）の重なりの部分となり、しかもこの部分が弾性素材（２）に押さえられた形となっている。髪の方からの液ダレは従ってこの（４−２）の部分で吸収される形を取る。２重に編みこんだ部分（４−１）は外側に出ているため、この状態では液の吸収にほとんど関係しない。そこで還元剤など第１剤を使った時には、この（４−２）の部分で吸収し、次の手順工程で例えば第２剤を使った時のために（４−１）の部分はとっておくのである。こうすれば１つの液ダレ防止部材によって２液の液剤による液ダレを気持ちよく防ぐことができる。【００３９】    図７は図６のようにターバン状にセッティングした後、ズレ落ち防止素材であるネット状の編み布地（６）にフリーピン（１８）（２０）を刺して、髪の形状にそって液ダレ防止部材（１）を留めた時の外観図である。これは図１０で言うと図１０（ｅ）に当たる。この時、頭部（２２）の髪はロットで止められているが、ネット状の編み布地（６）をこの上から止める形になるため、液ダレ防止部材（１）のズレ落ちはなくなる。その上でビニールキャップをかぶせて空気との直接的な接触を遮断する。【００４０】    パーマネントの手順としては、ビニールキャップをかぶせ、１０〜２０分間静置する。この還元剤による処理中に液ダレしたものは図６（ｂ）に示したように液ダレ吸収素材である編み布地（４−２）に吸収される。この静置後、ビニールキャップをはずし、フリーピン（１８）（２０）を取り外し、次の第２剤、酸化剤を使った処理に入る。【００４１】    図８は次の酸化剤による美容処理にあたって、編み布地（４−１）の部分を額の側にもう１度折り戻した時の図である。図８（ａ）はその外観図、図８（ｂ）は部分断面図である。ここでは図８（ｂ）で見るように還元剤を使った時には液ダレの吸収がほとんどない編み布地（４−１）の部分を弾性素材（２）で額に対して押圧する形を取っているため、酸化剤を使った後の液ダレはこの編み布地（４−１）の部分に吸収される形になる。【００４２】    還元剤の時には使っていない編み布地（４−１）の部分で液ダレを吸収するため、額にこの部分が当たってもベトつかないので客や使用者にとって感触が良い。また、この後、ネット状の編み布地（６）にフリーピンを使って、図７のように止めてズレ落ちを防止することになる。第２剤を使った後、１０分から２０分経過するまで、この図７のように液ダレ防止部材Ａ（１）をセットし、その後は、フリーピンを外し、ロットを外し、さらに液ダレ防止部材Ａ（１）を頭部から取り���し、図４のクロス（１６）をかけた状態に戻した後、付着している第２剤や残っている第１剤をシャンプーで洗い流し、再びタオルで拭いた後、セットしてパーマネントを終えることになる。【００４３】    通常はパーマネントの時には綿タオルが７〜８枚使うといわれている。１日１０人のお客がある美容院で７０〜８０枚使うことになる。この綿タオルは洗濯後、乾きづらく、その作業は大変だった。ところが、本願発明の液ダレ防止部材を使えば図３から図８で紹介したパーマネントの過程で使用するのは液ダレ防止部材（１）が２枚とタオルが２枚である。しかも液ダレ防止部材は編み布地を使っているので極めて乾き易い。【００４４】    ［実施例２］
図９は図２に示した液ダレ防止部材Ｂ（３）をシャンプー時の液ダレ防止用だけでなく、図３から図８で液ダレ防止部材Ａ（１）をターバン状に利用したと同様の方法で用いた時の外観図である。この時も編み布地（１０）をまず外に折りだして第１剤の処理をし、第２剤の処理の前に内側に折り込めば図３〜図８で説明したと同様の第１剤・第２剤の液ダレ防止用に使用できることになる。液ダレ防止用部材Ａ（１）、液ダレ防止部材Ｂ（３）のこれらの使い分けは、第１剤、第２剤の使用料の多い少ないなどによって、より適当なものを美容院や使用者が選択すれば良い。そうした選択によっては１種類の液ダレ防止部材で済むことにもなる。【００４５】    ［実施例３］
図１１は本発明による液ダレ防止部材の他の実施例の平面外観図である。（２４）はゴム編み布地、（２６）はニットなどの編み布地、（２８）はネット状編み布地である。ここでは編み布地（２６）がドーナツ型ではなく扇形形状をしている。【００４６】    図１２も本発明による液ダレ防止部材の他の実施例の平面外観図である。（３０）はゴム編み布地、（３２）と（３４）は液ダレを吸収するニットなどの編み布地、（３６）は液ダレ防止部材そのもののズレ落ちを防止するためのネット状の編み布地である。ここではゴム編み布地（３０）の内側に編み布地（３２）をゴム編み布地（３６）と略同一の巾で縫製し、ゴム編み布地（３０）の外側の編み布地（３４）とではさみこむ形となっている。また、ネット状の編み布地（３６）は略四角形となっている。【００４７】    この場合、液ダレを吸収する編み布地（３２）が内側にあるため、例えば図３のようにシャンプー時の液ダレ防止用に使う時も首筋とのすき間をきっちりと防ぎ、液ダレを防止できる。また、これを使ってターバン状にセッティングする時、この内側部の編み布地（３２）と外側の編み布地（３４）で折り返して、２回液ダレを吸収でき、折り返しが楽にできる。【００４８】    また、ネット状編み布地（３６）は四角状となっているが、頭部を覆ってしまうように重ね合わせ、フリーピンで留めれば問題はない。このネット状の編み布地（３６）に、長方形状の編み布地を裏打ちした別のネット状の編み布地を用意し、このネット状の編み布地（３６）とフリーピン等で結合し、ロングの髪の人用の液ダレ防止としても使うことができる。以上実施例３では液ダレ防止部材の全体形状としてドーナツ形でないものを示し、また、ゴム編み布地などの弾性素材及び液ダレを吸収する素材、そしてズレ落ち防止の防止素材が必ずしも中心部からこの順に縫製されていなくても良い事を実施例として示した。
［実施例４］【００４９】    図１３から図１６については試作した本発明による液ダレ防止部材の使用事例の写真である。図１３は液ダレ防止部材をセットした時の全体像である。（３８）はゴム編み布地で作った弾性素材、（４０）はポリエステル等の化繊で作ったニット編みの液ダレ吸収素材、（４２）はネット状の編み布地のズレ落ち防止素材である。ここでは、防止素材（４２）のネットを大きくとり、重ね合わせた時頭部全体を覆うことができるようにしている。ロット巻きした後、ターバン状にセッティングし、液ダレ防止の調整をした後、ネット状編み布地（４２）をフリーピンでまとめている。【００５０】    図１４及び図１５は図１３と同じ液ダレ防止部材をセッティングしたときのフリーピンで留めたときの拡大図である。（４４）（４６）はフリーピンである。【００５１】    図１６はこれらの液ダレ防止部材を洗濯後乾かしている像である。各素材を化学繊維で作っているため、乾き易く、このように狭いスペースに吊るし乾かしても簡単に乾く。【００５２】  なお、本発明の実施例は、あくまで１実施例であり、本発明は、その実施例に捉われるものではない。
【図面の簡単な説明】
【００５３】  ［図１］は本発明による液ダレ防止部材の１実施例で、図１（ａ）はその平面図、図１（ｂ）はその部分断面図である。
［図２］は本発明による液ダレ防止素材の他の実施例で図２（ａ）はその平面図、図２（ｂ）はその部分断面図である。
［図３］は図２に示した液ダレ防止部材Ｂを肩にかけたときの外観図。
［図４］はその上にクロスをかけたときの外観図
［図５］は図１に示した液ダレ防止部材Ａ（１）をそのクロスの上から肩にかけたときの外観図
［図６］はこの液ダレ防止部材Ａ（１）をターバン状にセッティングした時の外観図で、図６（ａ）はその正面図、図６（ｂ）はその断面図
［図７］はターバン状にセッティングした液ダレ防止部材Ａ（１）をフリーピンで留めた時の外観図
［図８］はフリーピンを外した後、吸収素材の折り返しを行った時の外観図で図８（ａ）は外観正面図、図８（ｂ）はその断面図
［図９］は図２の液ダレ防止素材をターバン状にセッティングした時の外観図
［図１０］は液ダレ防止部材Ａをセッティングする過程を手順を追って描いた断面外観図である。
［図１１］は、本発明による液ダレ防止部材の他の実施例でその平面外観図
［図１２］は本発明による液ダレ防止部材の他の実施例でその平面外観図
［図１３］は本発明による液ダレ防止部材の試作品を実際に使った時の写真像
［図１４］は、同写真像
［図１５］は、同写真像
［図１６］は、同写真像
【図１】
2006230967.tif 000003
【図２】
2006230967.tif 000004
【図３】
2006230967.tif 000005
【図４】
2006230967.tif 000006
【図５】
2006230967.tif 000007
【図６】
2006230967.tif 000008
【図７】
2006230967.tif 000009
【図８】
2006230967.tif 000010
【図９】
2006230967.tif 000011
【図１０】
2006230967.tif 000012
【図１１】
2006230967.tif 000013
【図１２】
2006230967.tif 000014
【図１３】
2006230967.tif 000015
【図１４】
2006230967.tif 000016
【図１５】
2006230967.tif 000017
【図１６】
2006230967.tif 000018